(57)【特許請求の範囲】
【請求項１】
開口の形成された取付対象物の取付位置に固定対象物を固定する固定具であって、
前記開口に挿入される筐体と、
前記筐体の端部に形成される鍔部と、
前記筐体の側壁部に沿って延びる雄ネジと、
前記雄ネジに螺合され、前記取付対象物を前記鍔部と挟むことが可能な挟持部材と
を備え、
前記筐体の前記側壁部には、開口部が形成され、
前記挟持部材は、前記雄ネジの軸線の回りの回転動作に連動して、前記開口部を通って、前記雄ネジを軸として退避位置と飛出位置との間を回動可能であり、
前記退避位置は、前記挟持部材が前記筐体の内部に進入した位置であり、
前記飛出位置は、前記挟持部材が前記筐体の外部に飛び出した位置であり、
前記鍔部は、
第１貫通孔と、
前記取付対象物に当接可能な当接面と、
前記当接面の反対面と
を有し、
前記雄ネジは、前記第１貫通孔に挿入されており、
前記挟持部材は、前記飛出位置にあるとき、前記鍔部の前記当接面に対向し、
前記雄ネジは、鉛直線に沿っており、
前記挟持部材は、前記退避位置にあるとき、少なくとも一部が前記開口部から前記筐体の内部に進入しており、前記開口部の下縁から離間しており、
前記固定具は、
第２貫通孔を有し、前記開口部よりも上方に配置され、前記筐体の前記側壁部から前記筐体の外部に向かって突出する突出部と、
前記第２貫通孔に挿入された前記雄ネジの先端部に装着されるストッパーと
をさらに備え、
前記ストッパーが前記突出部に当接しているときに、前記雄ネジの基端部としての頭部は、前記鍔部の前記反対面から離間しており、前記退避位置の前記挟持部材は、前記開口部の前記下縁に当接しており、
前記雄ネジの前記頭部が前記鍔部の前記反対面に当接しているときに、前記ストッパーは、前記突出部から離間しており、前記退避位置の前記挟持部材は、前記開口部の前記下縁から離間している、固定具。
【請求項２】
前記挟持部材は、前記飛出位置にあるとき、前記側壁部と当接可能な第１当接部を有する、請求項１に記載の固定具。
【請求項３】
前記挟持部材は、前記退避位置にあるとき、前記開口部の側縁と当接可能な第２当接部を有する、請求項１または請求項２に記載の固定具。
【請求項４】
固定具によって固定対象物を取付対象物の取付位置に固定する固定方法であって、
前記固定具は、
前記取付対象物に形成された開口に挿入される筐体と、
前記筐体の端部に形成される鍔部と、
前記筐体の側壁部に沿って延びる雄ネジと、
前記雄ネジに螺合され、前記取付対象物を前記鍔部と挟むことが可能な挟持部材と
を備え、
前記筐体の前記側壁部には、開口部が形成され、
退避位置は、前記挟持部材が前記筐体の内部に進入した位置であり、
飛出位置は、前記挟持部材が前記筐体の外部に飛び出した位置であり、
前記固定方法は、
前記挟持部材を前記退避位置に配置する手順と、
前記挟持部材を前記退避位置に配置した後、前記固定具を前記取付対象物の前記開口に挿入する手順と、
前記雄ネジを軸線の回りに回転させて、前記挟持部材を前記開口部を通って前記飛出位置に配置する手順と、
前記挟持部材を前記飛出位置に配置した後、前記雄ネジを前記軸線の回りに回転させて、前記挟持部材と前記鍔部とで前記取付対象物を挟む手順と
を含み、
前記鍔部は、
第１貫通孔と、
前記取付対象物に当接可能な当接面と、
前記当接面の反対面と
を有し、
前記雄ネジは、前記第１貫通孔に挿入されており、
前記挟持部材は、前記飛出位置にあるとき、前記鍔部の前記当接面に対向し、
前記雄ネジは、鉛直線に沿っており、
前記挟持部材は、前記退避位置にあるとき、少なくとも一部が前記開口部から前記筐体の内部に進入しており、前記開口部の下縁から離間しており、
前記固定具は、
第２貫通孔を有し、前記開口部よりも上方に配置され、前記筐体の前記側壁部から前記筐体の外部に向かって突出する突出部と、
前記第２貫通孔に挿入された前記雄ネジの先端部に装着されるストッパーと
をさらに備え、
前記ストッパーが前記突出部に当接しているときに、前記雄ネジの基端部としての頭部は、前記鍔部の前記反対面から離間しており、前記退避位置の前記挟持部材は、前記開口部の前記下縁に当接しており、
前記雄ネジの前記頭部が前記鍔部の前記反対面に当接しているときに、前記ストッパーは、前記突出部から離間しており、前記退避位置の前記挟持部材は、前記開口部の前記下縁から離間している、固定方法。
【発明の詳細な説明】
【技術分野】
【０００１】
本発明は、固定具および固定方法に関する。
【背景技術】
【０００２】
特許文献１に記載された照明器具は、天井に固定される埋込型である。照明器具は、照明器具の側面から放射状に延びる複数の板バネを有する。照明器具を天井に固定する際は、作業者は、各板バネを弾性力に抗して略鉛直になるように曲げたまま、照明器具を天井に形成された開口に挿入する。そして、作業者は、各板バネから手を離し、さらに照明器具の鍔部が天井に当接するまで照明器具を押し込む。その結果、各板バネは、弾性力により、元の形状に戻り、各板バネと鍔部とで天井が挟持され、照明器具が天井に固定される。
【先行技術文献】
【特許文献】
【０００３】
【特許文献１】特開２０１３−５４９７７号公報
【発明の概要】
【発明が解決しようとする課題】
【０００４】
しかしながら、特許文献１に記載された照明器具では、各板バネを曲げたまま固定作業を実行することが要求され、固定作業の負担が大きい。
【０００５】
本発明は上記課題に鑑みてなされたものであり、その目的は、固定対象物の固定作業の負担を軽減できる固定具および固定方法を提供することである。
【課題を解決するための手段】
【０００６】
本願に開示する固定具は、開口の形成された取付対象物の取付位置に固定対象物を固定する。前記固定具は、筐体と、鍔部と、雄ネジと、挟持部材とを備える。前記筐体は、前記開口に挿入される。前記鍔部は、前記筐体の端部に形成される。前記雄ネジは、前記筐体の側壁部に沿って延びる。前記挟持部材は、前記雄ネジに螺合され、前記取付対象物を前記鍔部と挟むことが可能である。前記筐体の前記側壁部には、開口部が形成される。前記挟持部材は、前記雄ネジの軸線の回りの回転動作に連動して、前記開口部を通って、前記雄ネジを軸として退避位置と飛出位置との間を回動可能である。前記退避位置は、前記挟持部材が前記筐体の内部に進入した位置である。前記飛出位置は、前記挟持部材が前記筐体の外部に飛び出した位置である。前記鍔部は、第１貫通孔と、当接面と、反対面とを有する。前記当接面は、前記取付対象物に当接可能である。前記雄ネジは、前記第１貫通孔に挿入されている。前記挟持部材は、前記飛出位置にあるとき、前記鍔部の前記当接面に対向する。前記雄ネジは、鉛直線に沿っている。前記挟持部材は、前記退避位置にあるとき、少なくとも一部が前記開口部から前記筐体の内部に進入しており、前記開口部の下縁から離間している。前記固定具は、突出部と、ストッパーとをさらに備える。前記突出部は、第２貫通孔を有する。前記突出部は、前記開口部よりも上方に配置される。前記突出部は、前記筐体の前記側壁部から前記筐体の外部に向かって突出する。前記ストッパーは、前記第２貫通孔に挿入された前記雄ネジの先端部に装着される。前記ストッパーが前記突出部に当接しているときに、前記雄ネジの基端部としての頭部は、前記鍔部の前記反対面から離間しており、前記退避位置の前記挟持部材は、前記開口部の前記下縁に当接している。前記雄ネジの前記頭部が前記鍔部の前記反対面に当接しているときに、前記ストッパーは、前記突出部から離間しており、前記退避位置の前記挟持部材は、前記開口部の前記下縁から離間している。
【００１１】
本願に開示する固定具において、前記挟持部材は、前記飛出位置にあるとき、前記側壁部と当接可能な第１当接部を有することが好ましい。
【００１２】
本願に開示する固定具において、前記挟持部材は、前記退避位置にあるとき、前記開口部の側縁と当接可能な第２当接部を有することが好ましい。
【００１３】
本願に開示する固定方法は、固定具によって固定対象物を取付対象物の取付位置に固定する固定方法である。前記固定具は、筐体と、鍔部と、雄ネジと、挟持部材とを備える。前記筐体は、前記取付対象物に形成された開口に挿入される。前記鍔部は、前記筐体の端部に形成される。前記雄ネジは、前記筐体の側壁部に沿って延びる。前記挟持部材は、前記雄ネジに螺合され、前記取付対象物を前記鍔部と挟むことが可能である。前記筐体の前記側壁部には、開口部が形成される。退避位置は、前記挟持部材が前記筐体の内部に進入した位置である。飛出位置は、前記挟持部材が前記筐体の外部に飛び出した位置である。前記固定方法は、前記挟持部材を前記退避位置に配置する手順と、前記挟持部材を前記退避位置に配置した後、前記固定具を前記取付対象物の前記開口に挿入する手順と、前記雄ネジを軸線の回りに回転させて、前記挟持部材を前記開口部を通って前記飛出位置に配置する手順と、前記挟持部材を前記飛出位置に配置した後、前記雄ネジを前記軸線の回りに回転させて、前記挟持部材と前記鍔部とで前記取付対象物を挟む手順とを含む。前記鍔部は、第１貫通孔と、当接面と、反対面とを有する。前記当接面は、前記取付対象物に当接可能である。前記雄ネジは、前記第１貫通孔に挿入されている。前記挟持部材は、前記飛出位置にあるとき、前記鍔部の前記当接面に対向する。前記雄ネジは、鉛直線に沿っている。前記挟持部材は、前記退避位置にあるとき、少なくとも一部が前記開口部から前記筐体の内部に進入しており、前記開口部の下縁から離間している。前記固定具は、突出部と、ストッパーとをさらに備える。前記突出部は、第２貫通孔を有する。前記突出部は、前記開口部よりも上方に配置される。前記突出部は、前記筐体の前記側壁部から前記筐体の外部に向かって突出する。前記ストッパーは、前記第２貫通孔に挿入された前記雄ネジの先端部に装着される。前記ストッパーが前記突出部に当接しているときに、前記雄ネジの基端部としての頭部は、前記鍔部の前記反対面から離間しており、前記退避位置の前記挟持部材は、前記開口部の前記下縁に当接している。前記雄ネジの前記頭部が前記鍔部の前記反対面に当接しているときに、前記ストッパーは、前記突出部から離間しており、前記退避位置の前記挟持部材は、前記開口部の前記下縁から離間している。
【発明の効果】
【００１４】
本発明によれば、固定対象物の固定作業の負担を軽減できる。
【図面の簡単な説明】
【００１５】
【図１】本発明の実施形態１に係る固定具の側面図である。
【図２】本発明の実施形態１に係る固定具の側面図である。
【図３】本発明の実施形態１に係る固定具の側面図である。
【図４】（ａ）は、挟持部材、ストッパー、および雄ネジを示す斜視図である。（ｂ）は、挟持部材を示す平面図である。
【図５】（ａ）は、挟持部材の退避位置を説明する斜視図である。（ｂ）は、挟持部材の飛出位置を説明する斜視図である。
【図６】（ａ）は、挟持部材の退避位置を説明する底面図である。（ｂ）は、挟持部材の飛出位置を説明する底面図である。
【図７】挟持部材の退避位置を説明する側面図である。
【図８】（ａ）は、分解された筐体を示す模式的な斜視図である。（ｂ）は、筐体を示す模式的な斜視図である。
【図９】本発明の実施形態２に係る固定具の側面図である。
【図１０】（ａ）は、本発明の実施形態２に係る固定具の側面図である。（ｂ）は、本発明の実施形態２に係る固定具の底面図である。
【発明を実施するための形態】
【００１６】
以下、本発明の実施形態について、図面を参照しながら説明する。なお、図中、同一または相当部分については同一の参照符号を付して説明を繰り返さない。
【００１７】
［実施形態１］
図１および図２を参照して、本発明の実施形態１に係る固定具１００について説明する。図１および図２は、本発明の実施形態１に係る固定具１００の側面図である。図１および図２では、固定具１００をＹ軸方向から見ている。Ｘ軸およびＹ軸は水平方向に沿っており、Ｚ軸は鉛直方向に沿っており、Ｘ軸、Ｙ軸、およびＺ軸は互いに直交する。
【００１８】
固定具１００は、固定対象物としての照明器具を天井４１（取付対象物）の取付位置Ｐに固定する。照明器具は、例えば、天井吊り下げ灯である。固定具１００は、端子ユニット１０と、コード３０と、収納ユニット２０とを備える。固定具１００は、コード固定部６０と、電線３１と、カバー４２とを備える。固定具１００は、天井４１に形成された開口４４に挿入されて、照明器具を天井４１に固定する。なお、天井４１は取付対象物の一例であり、開口４４の周辺は、取付位置の一例である。
【００１９】
端子ユニット１０は、端子部１１と板状部材１３と連結部７０とを有する。端子部１１は、板状部材１３の下面に取り付けられ、板状部材１３の先端領域に配置される。板状部材１３の下面は、後述する倒伏位置で下方を向く（図１の実線で示す端子ユニット１０を参照）。したがって、端子ユニット１０が倒伏位置に配置されるときに、端子部１１に塵が溜まることを抑制できる。なお、板状部材１３の上面は、倒伏位置で上方を向く。端子部１１には、商用電源の電線が接続され電源電圧が印加される。電源電圧は、電線３１を介して端子部１１からコード３０へ供給される。
【００２０】
端子部１１と照明器具とは、コード３０を介して接続される。コード３０は、電源電圧に基づく電力を照明器具に供給する。
【００２１】
収納ユニット２０は、コード３０を収納する。収納ユニット２０は、直方体の形状を有する筐体２９を有する。筐体２９は、互いに対向する一対の側壁部２９ａを有し、側壁部２９ａの各々には、開口部２３と、楕円状の開口であるコード挿入口２４とが形成される。筐体２９の下面には、円状の開口であるコード出口２５が形成される。コード３０はコード挿入口２４から挿入され、収納ユニット２０内を通過し、コード出口２５から引き出される。開口部２３は、後述する挟持部材５１が退避可能に形成される。挟持部材５１の構成および回転については図３〜図７を参照して後述する。
【００２２】
収納ユニット２０は、回動軸２２を有する。端子ユニット１０は、回動軸２２を介して収納ユニット２０に対して回動可能である。端子ユニット１０は、起立位置と倒伏位置との間を回動する。起立位置は、図１および図２において破線で示されるように、収納ユニット２０に対して端子ユニット１０が起立する位置を示す。また、倒伏位置は、図１および図２において実線で示されるように、収納ユニット２０に対して端子ユニット１０が略直交する位置を示す。倒伏位置において、端子ユニット１０は収納ユニット２０に対して倒れている。
【００２３】
鉛直方向から見た場合、起立位置にある端子ユニット１０の重心Ｇは、倒伏位置にある端子ユニット１０の重心Ｇと回動軸２２に対して同じ側に位置している。つまり、収納ユニット２０を鉛直方向に平行に配置した状態で端子ユニット１０を起立位置まで回動させると、端子ユニット１０は、端子ユニット１０の重心Ｇにより、起立位置から倒伏位置まで回動する。また、端子ユニット１０は、起立位置において、鉛直方向に対して傾いた位置にある。具体的には、起立位置において、端子ユニット１０が延びる方向が鉛直方向に対して起立位置から倒伏位置に回動する方向Ｒに傾くように、端子ユニット１０の位置が規制されている。
【００２４】
連結部７０は、回動軸２２に回動自在に支持される。連結部７０は、回動軸２２を介して端子ユニット１０と収納ユニット２０とを連結する。起立位置において、連結部７０が収納ユニット２０の筐体２９の上面２９ｂに当接する。したがって、連結部７０は、端子ユニット１０が起立位置にあるとき、端子ユニット１０の倒伏位置から離れる方向への回動を規制する。
【００２５】
また、端子ユニット１０が倒伏位置にあるとき、収納ユニット２０の筐体２９の上面２９ｂと端子ユニット１０とは所定の隙間２９ｃを有している。したがって、収納ユニット２０内においてコード３０から発生する熱を、隙間２９ｃを介して外部へ逃がすことができる。
【００２６】
固定具１００を天井４１に取り付ける際、端子ユニット１０を起立位置に変位させて、固定具１００を天井４１の開口４４に挿入する。端子ユニット１０を起立位置に変位させることによって、固定具１００は略直線状の形態になる。したがって、固定具１００をその長手方向が鉛直方向（Ｚ軸方向）に平行な姿勢で天井４１の開口４４に挿入できるため、天井４１の開口４４に挿入しやすい。
【００２７】
鉛直方向から見た場合、起立位置にある端子ユニット１０の重心Ｇは、倒伏位置にある端子ユニット１０の重心Ｇと回動軸２２に対して同じ側に位置している。したがって、固定具１００が天井４１の開口４４に挿入される際に、端子ユニット１０が開口４４を通過した後に、端子ユニット１０は自重で起立位置から方向Ｒに回動し、端子ユニット１０は倒伏位置に変位する。さらに、起立位置において、鉛直方向に対して起立位置から倒伏位置に回動する方向Ｒに端子ユニット１０が傾くように位置が規制されているため、端子ユニット１０は自重で起立位置から方向Ｒにさらに回動しやすくなる。
【００２８】
コード固定部６０は、ナット６１と、円筒状のコードクランプ６２と、クランプナット６３とを備える。コードクランプ６２は、コード出口２５に挿入され、ナット６１によって収納ユニット２０に固定される。コード３０は、収納ユニット２０のコード出口２５を通って、コードクランプ６２に挿通され、収納ユニット２０から引き出される。また、カバー４２は収納ユニット２０の下面を覆う。そして、クランプナット６３がカバー４２を収納ユニット２０に押し付け、カバー４２が収納ユニット２０に装着される。コード３０は、カバー４２に形成された開口４４およびクランプナット６３を通り、収納ユニット２０から外部に引き出される。
【００２９】
コードクランプ６２の外表面にはネジ山が形成され、クランプナット６３の内表面にはネジ溝が形成される。クランプナット６３をコードクランプ６２に螺合させ、コードクランプ６２を締め付ける。その結果、コードクランプ６２がコード３０を締め付け、コード３０が固定される。
【００３０】
次にクランプナット６３を緩めてクランプナット６３をコードクランプ６２から外すことにより、コードクランプ６２が緩む。したがって、収納ユニット２０に収納されたコード３０を所望の長さだけ解いて、コード３０を所望の長さだけ収納ユニット２０から引き出したり、コード３０を所望の長さだけ収納ユニット２０に収納したりできる。そして、再び、クランプナット６３によってコードクランプ６２を締め付けて、コードクランプ６２によってコード３０を固定する。このようにコード３０の収納ユニット２０に収納される長さを調整すること、すなわちコード３０の収納ユニット２０から引き出す長さを調整することによって、天井４１から照明器具までのコード３０の長さを自在に調整できる。例えば、収納ユニット２０からコード３０を引き出すことによって、図１に示す状態から図２に示す状態へと変更し、天井４１から照明器具までのコード３０の長さを長くすることができる。
【００３１】
以上、図１および図２を参照して説明したように、固定具１００において、収納ユニット２０は、コード３０を収納する。端子ユニット１０は、収納ユニット２０に対して起立する起立位置と、収納ユニット２０に対して略直交する倒伏位置との間を回動する。したがって、収納ユニット２０にコード３０の収納空間を確保しつつ、固定具１００の高さを抑え、固定具１００を天井４１の開口４４に容易に挿入することができる。
【００３２】
また、鉛直方向から見た場合、起立位置にある端子ユニット１０の重心Ｇは、倒伏位置にある端子ユニット１０の重心Ｇと回動軸２２に対して同じ側に位置している。したがって、固定具１００が天井４１の開口４４に挿入された後、端子ユニット１０は自重で起立位置から方向Ｒに回動し、固定具１００の施工が容易になる。
【００３３】
さらに、端子ユニット１０は、起立位置において、鉛直方向に対して傾いた位置にある。したがって、固定具１００が天井４１の開口４４に挿入された後、端子ユニット１０は自重で起立位置から方向Ｒに回動し、固定具１００の施工が容易になる。
【００３４】
次に、図３および図４を参照して、照明器具を天井４１に固定するための固定具１００の構造について説明する。図３は、固定具１００の側面図である。図３では、固定具１００をＸ軸方向から見ている。固定具１００は、開口４４の形成された天井４１に照明器具を固定する。
【００３５】
固定具１００の収納ユニット２０は、筐体２９、一対の鍔部２１、一対の挟持部材５１、一対のストッパー５２、一対の雄ネジ５４、および一対の突出部５８を備える。筐体２９は天井４１の開口４４に挿入される。鍔部２１は、筐体２９の端部に形成される。鍔部２１は、筐体２９の側壁部２９ａの下縁から筐体２９の外部に向かって水平に延びる。鍔部２１は、第１貫通孔２１ａ、当接面２１ｂ、および当接面２１ｂの反対面２１ｃを有する。
【００３６】
突出部５８は、開口部２３よりも上方に配置され、筐体２９の側壁部２９ａから筐体２９の外部に向かって突出する。突出部５８は、第２貫通孔７２を有する。雄ネジ５４は、頭部５３を有し、筐体２９の側壁部２９ａに沿って延びる。実施形態１では、側壁部２９ａおよび雄ネジ５４は鉛直線に沿っている。雄ネジ５４は、鍔部２１の反対面２１ｃの側から第１貫通孔２１ａに挿入されている。さらに、雄ネジ５４は、突出部５８の第２貫通孔７２に挿入されている。そして、ストッパー５２は、第２貫通孔７２に挿入された雄ネジ５４の先端部に装着される。実施形態１では、ストッパー５２は、ナットであり、雄ネジ５４の先端部に螺合され、雄ネジ５４の先端部に固定される。
【００３７】
実施形態１によれば、雄ネジ５４は、鍔部２１の第１貫通孔２１ａに挿入される。つまり、雄ネジ５４は、筐体２９の外部に配置される。したがって、雄ネジ５４が筐体２９の内部に配置される場合よりも円滑に、筐体２９に対してコード３０を進退させることができる。
【００３８】
挟持部材５１は、雄ネジ５４に螺合される。図４（ａ）は、挟持部材５１、ストッパー５２、および雄ネジ５４を示す斜視図である。図４（ｂ）は、挟持部材５１を示す平面図である。挟持部材５１は、平板状であり、第１当接部５７、第２当接部８０、およびネジ孔５９を有する。ネジ孔５９に雄ネジ５４が螺合される。
【００３９】
次に、図３および図４を参照して、固定具１００の鍔部２１および挟持部材５１による照明器具の固定について説明する。固定具１００は、開口４４に挿入されている。鍔部２１の当接面２１ｂが天井４１に当接させた状態から雄ネジ５４を軸線の回りに回転させることによって、挟持部材５１が下降し、天井４１が挟持部材５１と鍔部２１とで挟まれる。つまり、天井４１が挟持部材５１と鍔部２１とで締め付けられる。その結果、固定具１００が天井４１に取り付けられ、固定具１００に保持された照明器具が天井４１に固定される。
【００４０】
実施形態１によれば、雄ネジ５４を使用して挟持部材５１と鍔部２１とで天井４１を締め付けることによって、照明器具を天井４１に固定する。したがって、照明器具を天井４１に強固に固定できる。また、天井４１の材質および／または厚さに応じて、雄ネジ５４によって挟持部材５１と鍔部２１とによる天井４１の締付力を調整できるため、天井４１の破損を抑制できる。
【００４１】
次に、図５〜図７を参照して、挟持部材５１と鍔部２１とで天井４１を挟む前の挟持部材５１の動作について説明する。図５（ａ）、図６（ａ）、および図７は、それぞれ、挟持部材５１の退避位置を説明する斜視図、底面図、および側面図である。図５（ｂ）および図６（ｂ）は、それぞれ、挟持部材５１の飛出位置を説明する斜視図および底面図である。
【００４２】
挟持部材５１は、突出部５８と鍔部２１との間に配置される。そして、挟持部材５１は、雄ネジ５４の軸線の回りの回転動作に連動して、開口部２３を通って、雄ネジ５４を軸として退避位置と飛出位置との間を回動可能である。
【００４３】
実施形態１によれば、挟持部材５１を退避位置に配置した状態（図５（ａ）参照）で、固定具１００を天井４１の開口４４に挿入できる。したがって、固定具１００を天井４１の開口４４に挿入する際に挟持部材５１が天井４１に接触しにくくなるため、照明器具の天井４１への固定作業の負担を軽減できる。
【００４４】
図５（ａ）、図６（ａ）、および図７に示すように、挟持部材５１の退避位置は、挟持部材５１が筐体２９の内部に進入した位置である。実施形態１では、退避位置では、挟持部材５１の一部が、開口部２３から筐体２９の内部に進入しており、挟持部材５１は、開口部２３の下縁２３ｂから離間している。挟持部材５１が下縁２３ｂから離間しているため、退避位置において、挟持部材５１の自重により、挟持部材５１と雄ネジ５４との間の摩擦が大きくなる。したがって、挟持部材５１が雄ネジ５４の回転に伴って回転し易くなり、挟持部材５１を容易に飛出位置に配置できる。
【００４５】
退避位置において、挟持部材５１の第２当接部８０は、開口部２３の側縁２３ａと当接する。第２当接部８０を側縁２３ａに当接させることによって、挟持部材５１の回動を簡易に規制でき、簡易な構造により、挟持部材５１を容易に飛出位置に配置できる。
【００４６】
図５（ａ）、図６（ａ）、および図７では、雄ネジ５４の頭部５３が鍔部２１の反対面２１ｃに当接しているときの挟持部材５１が示される。雄ネジ５４の頭部５３が鍔部２１の反対面２１ｃに当接しているとき、ストッパー５２は、突出部５８から離間しており、退避位置の挟持部材５１は、開口部２３の下縁２３ｂから離間している。
【００４７】
実施形態１によれば、作業時にドライバー等の工具によって雄ネジ５４を押し上げることによって、頭部５３を反対面２１ｃに当接させ、挟持部材５１を開口部２３の下縁２３ｂから容易に離間させることができる。そして、雄ネジ５４を回転させることによって、挟持部材５１を飛出位置に配置して下降させ、挟持部材５１と鍔部２１とで天井４１を締め付けることができる。このように、挟持部材５１の飛出位置への配置から下降までの作業を円滑に実行できる。
【００４８】
一方、図示は省略したが、雄ネジ５４が押し上げられていない場合、ストッパー５２は、突出部５８に当接する。つまり、図７において、雄ネジ５４が下がって、ストッパー５２が突出部５８に当接する。したがって、ストッパー５２および突出部５８によって雄ネジ５４が保持される。その結果、雄ネジ５４の落下を防止できる。
【００４９】
また、ストッパー５２が突出部５８に当接しているときに、雄ネジ５４の基端部としての頭部５３は、鍔部２１の反対面２１ｃから離間しており、退避位置の挟持部材５１は、開口部２３の下縁２３ｂに当接している。
【００５０】
実施形態１によれば、雄ネジ５４が押し上げられていない作業前では、挟持部材５１は、開口部２３の下縁２３ｂに当接しており、挟持部材５１と雄ネジ５４との間の摩擦が小さくなる。したがって、挟持部材５１は回動し難い。その結果、作業前において、挟持部材５１を退避位置に維持できる。
【００５１】
図５（ｂ）および図６（ｂ）に示すように、挟持部材５１の飛出位置は、挟持部材５１が筐体２９の外部に飛び出した位置である。飛出位置において、挟持部材５１の第１当接部５７は、側壁部２９ａと当接する。第１当接部５７を側壁部２９ａに当接させることによって、挟持部材５１の回動を簡易に規制でき、簡易な構造により、挟持部材５１を容易に退避位置に配置できる。
【００５２】
固定具１００が天井４１の開口４４に挿入された状態で、挟持部材５１が飛出位置に配置されているときに、雄ネジ５４を軸線の回りに回転させることにより、挟持部材５１は、下降し、天井４１を鍔部２１と挟む（図３）。
【００５３】
図５（ａ）、図５（ｂ）、図６（ａ）、および図６（ｂ）に示すように、退避位置および飛出位置の挟持部材５１は、鍔部２１の当接面２１ｂに対向する。ただし、側壁部２９ａから飛出位置の挟持部材５１の最先端までの距離は、側壁部２９ａから退避位置の挟持部材５１の最先端までの距離よりも大きい。飛出位置において、一対の挟持部材５１の最先端間の距離は、天井４１の開口４４の直径よりも大きい（図３）。退避位置において、一対の挟持部材５１の最先端間の距離は、天井４１の開口４４の直径よりも小さい。したがって、挟持部材５１を退避位置に配置することにより、容易に固定具１００を開口４４に挿入できる。
【００５４】
次に、図３および図５を参照して、固定具１００によって照明器具を天井４１に固定する固定方法について説明する。固定方法は、第１手順〜第４手順を含む。図５（ａ）に示すように、第１手順において、挟持部材５１を退避位置に配置する。図示を省略するが、第２手順において、挟持部材５１を退避位置に配置した後、固定具１００を天井４１の開口４４に挿入する。図５（ｂ）に示すように、第３手順において、雄ネジ５４を軸線の回りに回転させて、挟持部材５１を開口部２３に通して飛出位置に配置する。図３に示すように、第４手順において、挟持部材５１を飛出位置に配置した後、雄ネジ５４を軸線の回りに回転させて、挟持部材５１と鍔部２１とで天井４１を挟む。
【００５５】
以上、図３〜図７を参照して説明したように、実施形態１によれば、挟持部材５１を退避位置に配置した状態で、固定具１００を天井４１の開口４４に挿入できる。したがって、照明器具の天井４１への固定作業の負担を軽減できる。
【００５６】
図８を参照して、収納ユニット２０の筐体２９について説明する。図８（ａ）は、分解された筐体２９を示す模式的な斜視図である。図８（ｂ）は、筐体２９を示す模式的な斜視図である。なお、図８（ａ）および図８（ｂ）において、筐体２９に形成される開口（開口部２３、ネジ穴など）は省略している。
【００５７】
図８（ａ）に示すように、筐体２９は、第１部材２６と、第２部材２７と、第３部材２８とを有する。第１部材２６は、一対の上壁２６ａと、一対の側壁２６ｂと、底壁２６ｃとを有する。
【００５８】
第２部材２７と第３部材２８とは同一の形状を有している。第２部材２７は、上壁２７ａと、側壁２７ｂと、側壁２７ｂの端部に形成される接合部２７ｃとを有する。側壁２７ｂの端部には、鍔部２１が形成される。同様に第３部材２８は、上壁２８ａと、側壁２８ｂと、側壁２８ｂの端部に形成される接合部２８ｃとを有する。側壁２８ｂの端部には、鍔部２１が形成される。第２部材２７の側壁２７ｂおよび第３部材２８の側壁２８ｂは、図１〜図７で示した一対の側壁部２９ａに対応する。
【００５９】
第２部材２７の上壁２７ａを第１部材２６の一対の上壁２６ａの上に載置し、第２部材２７の上壁２７ａを第１部材２６の一対の上壁２６ａにネジで止めることによって、第２部材２７は第１部材２６に固定される。さらに、第２部材２７の接合部２７ｃを第１部材２６の底壁２６ｃにネジで止めることによって、第２部材２７は第１部材２６に固定される。
【００６０】
同様に、第３部材２８の上壁２８ａを第１部材２６の一対の上壁２６ａの上に載置し、第３部材２８の上壁２８ａを第１部材２６の一対の上壁２６ａにネジで止めることによって、第３部材２８は第１部材２６に固定される。さらに、第３部材２８の接合部２８ｃを第１部材２６の底壁２６ｃにネジで止めることによって、第３部材２８は第１部材２６に固定される。このようにして、第２部材２７および第３部材２８は第１部材２６に取り付けられ、図８（ｂ）に示すような直方体状の筐体２９が形成される。
【００６１】
［実施形態２］
実施形態１に係る固定具１００は、点灯回路を備えていないため、点灯回路を備える照明器具に用いることができる。これに対して、実施形態２に係る固定具１００は、点灯回路を備えるため、点灯回路を備えない照明器具に用いることができる。ＬＥＤモジュールを光源として用いる照明器具の場合は、点灯回路を照明器具に内蔵するか、点灯回路を外部接続する必要がある。実施形態２の固定具１００は、点灯回路を備えるため、照明器具に点灯回路を備える必要がなく、照明器具を小型軽量化することができるとともに、照明器具のデザインの自由度が向上する。また、ＬＥＤ形電球を光源として用いる照明器具の場合は、ＬＥＤ形電球に点灯回路が内蔵されているため、実施形態２に係る固定具１００を用いることができる。
【００６２】
図９および図１０を参照して、本発明の実施形態２に係る固定具１００について説明する。図９は、本発明の実施形態２に係る固定具１００の側面図である。図１０（ａ）は、本発明の実施形態２に係る固定具１００の側面図である。図１０（ｂ）は、本発明の実施形態２に係る固定具１００の底面図である。実施形態２においては、端子ユニット１０が電源部１２をさらに有する点を除いて、実施形態１に係る固定具１００と同様な構成を有するため、重複部分については説明を省略する。電源部１２は、点灯回路の一例である。
【００６３】
端子ユニット１０は、電源部１２をさらに有する。端子部１１および電源部１２は、板状部材１３の下面に取り付けられる。したがって、端子ユニット１０が倒伏位置に配置されるときに、端子部１１および電源部１２に塵が溜まることを抑制できる。端子部１１は板状部材１３の先端領域に配置され、電源部１２は板状部材１３の中央領域に配置される。端子部１１と電源部１２とは、電線３１を介して接続されている。電源電圧は、電線３１を介して端子部１１から電源部１２へ供給される。電源部１２とコード３０は、接続されている。電源部１２は、コード３０を介して照明器具に電力を供給する。
【００６４】
照明器具の光源が単数または複数のＬＥＤ（Ｌｉｇｈｔ  Ｅｍｉｔｔｉｎｇ  Ｄｉｏｄｅ）である場合は、例えば、電源部１２は、変圧を行い、交流電源電圧を直流電源電圧に変換し、照明器具の光源に電流を供給する。電源部１２は、必要に応じて、調光のために電流値を調整することが可能である。照明器具の光源が蛍光灯である場合は、例えば、電源部１２は、変圧器およびインバーターを含み、低周波数の電源電圧を高周波数の電源電圧に変換して、交流電源電圧を照明器具の光源に供給する。
【００６５】
以上、図９および図１０を参照して説明したように、固定具１００において、端子ユニット１０は、電源部１２をさらに有する。電源部１２を端子ユニット１０に配置することによって、固定具１００の高さを抑えることができる。
【００６６】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６７】
（１）本実施形態の固定具１００は、照明器具の一例として吊下げ灯を天井に取り付ける構成としたが、照明器具の形態は吊下げ灯に限らず、取付対象物は天井に限らない。本実施形態の固定具１００は、シーリングライト等の天井直付け灯、ダウンライト等の埋め込み灯、ブラケットライト等の壁直付け灯などにも応用が可能である。天井直付け灯の場合は、例えば本実施形態の固定具１００をシーリングライト本体に取り付け、天井に設けられた開口に挿入し、シーリングライトを天井に固定することができる。また、固定具１００が固定する固定対象物は、照明器具に限定されない、例えば、天井に取り付ける火災報知器、スピーカー、プロジェクターまたは監視カメラであってもよい。
【００６８】
（２）図３および図４を参照して説明したように、本実施形態では、雄ネジ５４は、筐体２９の外側に設けられていたが、雄ネジ５４は筐体２９の内側に設けられていてもよい。
【００６９】
（３）図５等を参照して説明したように、本実施形態では、筐体２９の形状は直方体状であったが、筐体２９の形状は直方体状に限定されず、任意の形状でよい。例えば、円筒状であってもよい。
【産業上の利用可能性】
【００７０】
本発明は、固定対象物を取付対象物の取付位置に固定する固定具の分野に利用可能である。
【符号の説明】
【００７１】
１００    固定具
１０      端子ユニット
２０      収納ユニット
１１      端子部
１２      電源部
２１      鍔部
２２      回動軸
２３      開口部
２９      筐体
２９ｂ    上面
２９ｃ    隙間
３０      コード
４１      天井（取付対象物）
４４      開口
５１      挟持部材
５２      ストッパー
５３      開口部
５４      雄ネジ
７０      連結部
Ｐ        取付位置
【図１】
0006357383.tif 000002
【図２】
0006357383.tif 000003
【図３】
0006357383.tif 000004
【図４】
0006357383.tif 000005
【図５】
0006357383.tif 000006
【図６】
0006357383.tif 000007
【図７】
0006357383.tif 000008
【図８】
0006357383.tif 000009
【図９】
0006357383.tif 000010
【図１０】
0006357383.tif 000011